(57)【特許請求の範囲】
【請求項１】
略円筒状の口部を有する容器に対し、その口部に栓体を嵌合し密封した状態で、上記密封部分を封止するために用いられる樹脂製キャップであって、上記栓体上面の少なくとも周縁部を覆う天面部と、上記天面部の下面周縁部から環状に垂下する第１の周壁部と、その下に環状に設けられる第２の周壁部とを備え、上記第１の周壁部の周方向の少なくとも２個所に、周壁下端部を円弧状に切欠く切欠き部が形成され、上記切欠き部が形成されていない部分が、切り離し容易な切断ガイドを介して、上記第２の周壁部と連結されているとともに、上記天面部周端面のうち、上記第１の周壁部の切欠き部の上方に位置する部分に、側方に突出するフランジ片が延設されており、上記天面部のフランジ片を上方に引き上げることにより、上記第１の周壁部と第２の周壁部の連結部が切断され、上記天面部と第１の周壁部とが一続きで密封部分から除去されるようになっていることを特徴とする樹脂製キャップ。
【請求項２】
上記切断ガイドとして、厚み０．２〜０．８ｍｍの薄肉部が線状に設けられている請求項１記載の樹脂製キャップ。
【請求項３】
上記切断ガイドとして、所定間隔ごとに微小な連結部が形成された幅０．２〜１０ｍｍの切欠き線が設けられている請求項１記載の樹脂製キャップ。
【請求項４】
請求項１〜３のいずれか一項の樹脂製キャップを用いて改ざん防止用の封止がなされていることを特徴とする樹脂製キャップ付容器。
【請求項５】
上記容器が、上記樹脂製キャップの少なくとも天面部と第１の周壁部と、栓体とを除去し、その口部に、中身取り出し用ノズルもしくは開閉キャップを冠着して使用するものである請求項４記載の樹脂製キャップ付容器。
【発明の詳細な説明】
【技術分野】
【０００１】
本発明は、バイアル瓶等の容器を栓体で密封した後、改ざん防止のために、さらにその密封部分を封止するために用いられる樹脂製キャップと、それを用いた樹脂製キャップ付容器に関するものである。
【背景技術】
【０００２】
従来から、バイアル瓶に代表されるような、略円筒状の口部を有する薬用瓶等は、上記口部にフランジ付栓体を嵌合して密封されるようになっている。そして、上記密封性をより高めるとともに第三者による改ざんを防止するために、その密封部分をアルミ等の軟質金属薄板で被覆したり、樹脂キャップに金属製の剥離用タブを取り付けた封止用キャップを冠着したりすることが行われている（例えば、特許文献１参照）。
【０００３】
しかしながら、アルミ等の軟質金属薄板で被覆したものは、きれいに開封するのに時間がかかり、開封用の工具等を用いると、栓体や瓶の口部を傷つけやすいという問題がある。また、金属製の剥離用タブを有する封止用キャップは、開封動作時に、上記剥離用タブの端で手指を負傷するおそれがあり、安全とはいえない。
【０００４】
そこで、このような封止用キャップを、樹脂だけで作製し、簡単に開封することができるものが提案されている（例えば、特許文献２参照）
【特許文献１】特許第２７３９４５５号公報
【特許文献２】特開平９−２３８９９８号公報
【発明の開示】
【発明が解決しようとする課題】
【０００５】
しかしながら、上記特許文献２の封止用キャップは、容器口部と嵌合する部分と、その部分に細い橋部を介して連結される天板とを備え、上記天板を引っ張って橋部を切断することにより天板を除去し、容器口部を蓋する栓体上面のみを露出させるようになっている。このため、上記露出した栓体上面に、注射針を刺して容器内の薬液を抜き取る等の用途には適しているものの、栓体を容器口部から取り外して中身を取り出す場合や、別途用意される中身取り出し用のノズルを上記栓体と取り替えて用いる場合等には、上記封止用キャップを用いることができないという問題がある。また、封止用キャップのうち、容器口部と嵌合する部分が容器側に残っていると、容器がガラス瓶の場合、ガラス製の瓶本体と、樹脂製の上記封止用キャップの残留部分とを、分別して廃棄するのに手間を要するという問題もある。
【０００６】
本発明は、このような事情に鑑みなされたもので、容器口部と栓体とで構成される密封部分を効果的に封止し、かつ開封動作が簡単で、開封後はキャップ全体を容器口部から完全に除去することのできる優れた樹脂製キャップと、その樹脂製キャップを用いた容器の提供を、その目的とする。
【課題を解決するための手段】
【０００７】
上記の目的を達成するため、本発明は、略円筒状の口部を有する容器に対し、その口部に栓体を嵌合し密封した状態で、上記密封部分を封止するために用いられる樹脂製キャップであって、上記栓体上面の少なくとも周縁部を覆う天面部と、上記天面部の下面周縁部から環状に垂下する第１の周壁部と、その下に環状に設けられる第２の周壁部とを備え、上記第１の周壁部の周方向の少なくとも２個所に、周壁下端部を円弧状に切欠く切欠き部が形成され、上記切欠き部が形成されていない部分が、切り離し容易な切断ガイドを介して、上記第２の周壁部と連結されているとともに、上記天面部周端面のうち、上記第１の周壁部の切欠き部の上方に位置する部分に、側方に突出するフランジ片が延設されており、上記天面部のフランジ片を上方に引き上げることにより、上記第１の周壁部と第２の周壁部の連結部が切断され、上記天面部と第１の周壁部とが一続きで密封部分から除去されるようになっている樹脂製キャップを第１の要旨とする。
【０００８】
また、本発明は、そのなかでも、特に、上記切断ガイドとして、厚み０．２〜０．８ｍｍの薄肉部が線状に設けられている樹脂製キャップを第２の要旨とし、上記切断ガイドとして、所定間隔ごとに微小な連結部が形成された幅０．２〜１０ｍｍの切欠き線が設けられている樹脂製キャップを第３の要旨とする。
【０００９】
そして、本発明は、上記第１〜第３のいずれかの要旨である樹脂製キャップを用いて改ざん防止用の封止がなされている樹脂製キャップ付容器を第４の要旨とし、そのなかでも、特に、上記容器が、上記樹脂製キャップの少なくとも天面部と第１の周壁部と、栓体とを除去し、その口部に、中身取り出し用ノズルもしく開閉キャップを冠着して使用するものである樹脂製キャップ付容器を第５の要旨とする。
【発明の効果】
【００１０】
すなわち、本発明の樹脂製キャップは、一体的に形成された天面部と、その下に環状に設けられる第１の周壁部と、さらにその下に環状に設けられる第２の周壁部とで、容器口部と栓体とで構成される密封部分を封止して、改ざんを防止できるようになっている。そして、これを開封して使用する場合には、上記天面部周端面に、特定の配置で延設されるフランジ片を上方に引き上げることにより、上記第１の周壁部と第２の周壁部の間に設けられた連結部を簡単に切断することができ、上記天面部と第１の周壁部とを一続きで密封部分から除去できるようになっている。また、容器側に残留する環状の第２の周壁部も、上記第１の周壁部から切断されると容器口部より下方に脱落するため、栓体で密封された容器口部周辺を大きく露出させることができる。そして、上記密封部分から一続きで除去される天面部と第１の周壁部は、分別ごみとして簡単に廃棄処分することができる。また、第２の周壁部も、容器口部から外れているため、容易に切断除去することができ、処分しやすいという利点を有する。
【００１１】
また、本発明の樹脂製キャップのなかでも、特に、上記切断ガイドとして、厚み０．２〜０．８ｍｍの薄肉部を線状に設けたもの、あるいは上記切断ガイドとして、所定間隔ごとに微小な連結部が形成された幅０．２〜１０ｍｍの切欠き線を設けたものは、第１の周壁部と第２の周壁部の連結部を切断する動作をスムーズに行うことができ、好適である。
【００１２】
そして、本発明の樹脂製キャップ付容器は、上記樹脂製キャップによって改ざん防止がなされているため、安全である。そして、上記樹脂製キャップの開封動作が容易で使い勝手がよい。また、すでに述べたように、分別ごみとして、上記樹脂製キャップおよび容器を別々に廃棄処分することができ、処分が容易である。
【００１３】
特に、本発明の樹脂製キャップ付容器は、樹脂製キャップが容器口部から完全に除去されるようになっているため、この容器口部を利用して、その口部に、中身取り出し用ノズルや開閉キャップを冠着して使用する用途に用いることが最適であり、例えば、薬用瓶の他、乳液や美容エッセンス等を収容する化粧料容器として用いることが好適である。
【発明を実施するための最良の形態】
【００１４】
つぎに、本発明を実施するための最良の形態について説明する。ただし、本発明は、この実施の形態に限られるものではない。
【００１５】
図１は、本発明の最良の実施形態の一例を示す斜視図、図２（ａ）は、そのＡ−Ａ′断面図である。これらの図において、１はガラス製のバイアル瓶で、胴部２と、胴部２より縮径された略円筒状の口部３とを備えている。なお、上記口部３の上端部には、外向きのフランジ部３ａが形成されている。
【００１６】
また、上記バイアル瓶１の口部３には、有天筒状の栓体４が嵌合されており、この嵌合によって、バイアル瓶１内が密封されている。なお、上記栓体４の上端部にも外向きのフランジ部４ａが形成されており、このフランジ部４ａの下面が、バイアル瓶１のフランジ部３ａの上面に係合することにより、両者間の密封性が高められている。
【００１７】
そして、上記バイアル瓶１の口部３と栓体４とで構成される密封部分には、樹脂製キャップ５が冠着されている。上記樹脂製キャップ５は、ポリプロピレンの一体成形品からなり、上記栓体４の上面全面を覆う天面部７と、上記天面部７の下面周縁部から環状に垂下する第１の周壁部８と、この第１の周壁部８の下端部と断続的に連結される、環状の第２の周壁部９とを備えている。
【００１８】
より詳しく説明すると、上記第１の周壁部８には、図１に示すように、周方向に均等な間隔で、周壁下端部を円弧状に切欠く３個の切欠き部１０が形成されており、上記切欠き部１０が形成されていない部分（周方向に均等な間隔で３つ）が、厚み０．４ｍｍの線状薄肉部１１を介して、上記第２の周壁部９に連結されている。なお、上記第１の周壁部８の下縁部と、上記第２の周壁部９の上縁部は、それぞれ、両者が連結される線状薄肉部１１に連なる薄肉に形成されている。また、上記第２の周壁部９の内周面下端部には、内側に突出する環状突起９ａが設けられ、この部分が、上記バイアル瓶１のフランジ部３ａと係合している。
【００１９】
一方、上記天面部７には、この樹脂製キャップ５を下から見上げた図２（ｂ）に示すように、その周端面のうち、上記第１の周壁部８の３個所に形成された各切欠き部１０の上方に位置する部分に、側方に突出するフランジ片７ａがそれぞれ延設されている。
【００２０】
したがって、上記フランジ片７ａに手指をかけて、図３において矢印Ｐで示すように、上方に引き上げると、第１の周壁部８のその下の部分は、切欠き部１０によって上方に反りやすくなっており、その反り応力により、左右の線状薄肉部１１が、図において手前側から奥に向かって順次切り開かれてて切断され、最終的に、反対側の線状薄肉部１１も切断されて、上記天面部７と第１の周壁部８とが、一続きで切り取られるようになっている。そして、このようにして上記一続きの部分が切り取られると、第２の周壁部９の環状突起９ａ（図２〔ａ〕参照）と、バイアル瓶１のフランジ部３ａとの係合が外れるため、上記第２の周壁部９は、図４に示すように、バイアル瓶１の口部３から脱落して、胴部２に引っ掛かった状態となる（栓体４の図示を省略）。
【００２１】
このように、上記樹脂製キャップ５が冠着されたバイアル瓶１は、その口部３と栓体４とで構成される密封部分が、上記樹脂製キャップ５によって封止され、改ざん防止がなされており、安全である。
【００２２】
そして、使用する場合には、天面部７の周端面から延設されるフランジ片７ａに指をかけて上に引き上げ、第１の周壁部８と第２の周壁部９の間に断続的に設けられた連結部の線状薄肉部１１を順次切り開いて切断する、という簡単な動作によって、天面部７と第１の周壁部８を一続きで除去し、第２の周壁部９は胴部２の方に脱落させて、樹脂製キャップ５全体を、バイアル瓶１の口部３の周囲から完全に除去して、口部３と栓体４の嵌合部を露出させることができる。そして、除去された天面部７と第１の周壁部８と、胴部２から簡単に外すことのできる第２の周壁部９は、いずれも分別ごみとして、簡単に廃棄処分することができる。
【００２３】
また、上記バイアル瓶１は、例えば図５に示すように、栓体４を外して、中身を少量ずつ取り出すことのできる樹脂製ノズル２０を冠着して使用する場合があるが、上記樹脂製キャップ５の除去によって、即座にバイアル瓶１の口部３を完全に露出させることができるため、栓体４と上記樹脂製ノズル２０との交換を、簡単に行うことができるという利点を有する。また、栓体４に代えて、開閉式の樹脂キャップ等を口部３に冠着する場合も、同様の利点を有する。
【００２４】
なお、上記の例において、樹脂製キャップ５の材質は、ポリプロピレンに限らず、各種の樹脂を用いることができるが、可撓性、成形性等の点から、ポリプロピレン、ポリエチレン等のオレフィン系樹脂を用いることが好適である。
【００２５】
また、上記の例において、上記第１の周壁部８と第２の周壁部９の連結部を切り離すための切断ガイドとして設けられる線状薄肉部１１の厚みは、上記の例に限らず、樹脂製キャップ５の材質に応じて、天面部７のフランジ片７ａを引き上げた場合に、容易にこれを切断できる程度の厚みに設定される。通常、その厚みは０．２〜０．８ｍｍに設定することが好適である。
【００２６】
さらに、上記第１の周壁部８と第２の周壁部９の連結部において、上記第２の周壁部９側の連結部分２１は、図６（ａ）に示すように、左右方向からテーパ状に立ち上がって、やや上方に突出形成されていることが好ましい。すなわち、この部分を切り離そうとする力が、第１の周壁部８の側において、矢印のように斜めに働くため、上記のように、第２の周壁部９側にもテーパをつけておくと、線状薄肉部１１の上下間で、この力ができるだけ均等に働いて線状薄肉部１１の切り離し動作がスムーズに行われ、好適である。
【００２７】
なお、上記連結部に設けられる切断ガイドとして、上記の例では、線状薄肉部１１を設けたが、これに代えて、図６（ｂ）に示すように、所定間隔ごとに微小な連結部３０が形成された切欠き線１１′を設けるようにしてもよい。このような切欠き線１１′を設ける場合、その幅は、樹脂製キャップ５の材質や、連結部３０の大きさ、間隔等にもよるが、通常、０．２〜１０ｍｍに設定することが好適である。
【００２８】
そして、上記の例では、指をかけるためのフランジ片７ａを、天面部７の側方に３個、均等な配置で延設しているが、上記フランジ片７ａの数は、２個以上であれば、特に限定するものではない。２個設けた例を図７（樹脂製キャップ５を下から見上げた図）に示す。この場合も、フランジ片７ａの配置に合わせて、第１の周壁部８の下端部に円弧状の切欠き部１０が形成される。
【００２９】
さらに、上記フランジ片７ａの側方への突出幅Ｘ（図７参照）は、この部分を上方に引き上げた場合に、その力が、最も効率よく第１の周壁部８と第２の周壁部９の連結部に作用するよう設定することが重要である。したがって、上記突出幅Ｘは、樹脂製キャップ５の材質や厚み、天面部７の径の大きさ等に応じて、適宜の幅に設定される。
【００３０】
なお、上記の例では、天面部７が、栓体４の上面を完全に覆うようになっているが、天面部７が環状で、その中央部に開口が設けられていても差し支えない。
【００３１】
また、本発明の樹脂製キャップ５を取り付ける容器としては、上記の例におけるバイアル瓶１に限らず、各種の容器を用いることができる。ただし、樹脂製キャップ５を冠着させる必要から、略円筒状口部３を有し、その口部３を栓体４で密封する構造のものでなければならない。
【図面の簡単な説明】
【００３２】
【図１】本発明の一実施例を示す斜視図である。
【図２】（ａ）は図１のＡ−Ａ′断面図、（ｂ）は上記実施例の樹脂製キャップを下から見上げた図である。
【図３】上記実施例における開封動作の説明図である。
【図４】上記実施例において、開封された状態の説明図である。
【図５】上記実施例の容器の使用態様の説明図である。
【図６】（ａ）は上記実施例の要部説明図、（ｂ）はその変形例の説明図である。
【図７】上記実施例のさらに他の変形例の説明図である。
【符号の説明】
【００３３】
１  バイアル瓶
３  口部
４  栓体
５  樹脂製キャップ
７  天面部
７ａ  フランジ片
８  第１の周壁部
９  第２の周壁部
１０  切欠き部
１１  線状薄肉部
【図１】
0004739049.tif 000002
【図２】
0004739049.tif 000003
【図３】
0004739049.tif 000004
【図４】
0004739049.tif 000005
【図５】
0004739049.tif 000006
【図６】
0004739049.tif 000007
【図７】
0004739049.tif 000008